(57)【要約】【課題】ホール内で隣接する遊戯者に他人のタバコの煙等が流れることを防止すると共に、ホール内の異常事態を遊戯者に迅速に伝えることができるホール用チェアを提供する。【解決手段】ホール用チェア１００は、遊戯台が所定方向に複数配置されたホールで用いられ、遊戯台に対向して配置されており、エアを吸入するエア吸入口１５と、遊戯者の後方から遊戯台へ向ってエアを吐出するエア吐出口１３ａ，１３ｂと、エア吸入口１５とエア吐出口１３ａ，１３ｂとを連結するエア通路１６と、エア通路１６に配置され、エアを吸引するためのシロッコファン１７とを備え、シロッコファン１７の回転により、エア吸入口１５からエアが吸引されると共に、エア通路１６を介して、エア吐出口１３ａ，１３ｂからエアが吐出されることにより、エアカーテン１８ａ，１８ｂを発生する。【選択図】        図１
2004321210.tif 000002
【特許請求の範囲】
【請求項１】
遊戯台が所定方向に複数配置されたホールで用いられ、前記遊戯台に対向して配置されるホール用チェアであって、
エアを吸入するエア吸入部と、
遊戯者の後方から前記遊戯台へ向ってエアを吐出するエア吐出部と、
前記エア吸入部から前記エア吐出部にエアを送り出すことにより、エアカーテンを発生させるエアカーテン発生部と、
を備えたホール用チェア。
【請求項２】
請求項１に記載のホール用チェアにおいて、
前記エアカーテン発生部は、
前記エア吸入部と前記エア吐出部とを連結するエア通路と、
前記エア通路に配置され、エアを吸引するためのファンモータと、
を備え、
前記ファンモータの回転により、前記エア吸入部からエアが吸引されると共に、前記エア通路を介して、前記エア吐出部からエアが吐出されることにより、前記エアカーテンが発生すること、
を特徴とするホール用チェア。
【請求項３】
請求項１又は請求項２に記載のホール用チェアにおいて、
遊戯者が着座するときに、遊戯者の姿勢を規制するための背部をさらに備え、
前記エア吐出部は、前記背部に少なくとも２つ設けられ、前記エアカーテンにより、遊戯者と他の遊戯者とを分離すること、
を特徴とするホール用チェア。
【請求項４】
請求項２又は請求項３に記載のホール用チェアにおいて、
前記ファンモータを回転駆動させるための少なくとも１つのバッテリをさらに備え、
前記バッテリは、充電及び／又は着脱可能であること、
を特徴とするホール用チェア。
【請求項５】
請求項４に記載のホール用チェアにおいて、
前記バッテリは、遊戯者が着座するための座部の下端付近に設けられたこと、を特徴とするホール用チェア。
【請求項６】
請求項５に記載のホール用チェアにおいて、
前記座部に加わる荷重に応じて、その状態を変化させる荷重検出部と、
前記荷重検出部の状態の変化により、前記遊戯台の使用又は未使用を判定して、前記遊戯台が未使用の場合に、前記バッテリの消費電力を小さくする制御部と、
をさらに備えたことを特徴とするホール用チェア。
【請求項７】
請求項６に記載のホール用チェアにおいて、
前記制御部は、前記バッテリの充電状況に応じて、使用するバッテリを自動的に切替えること、
を特徴とするホール用チェア。
【請求項８】
請求項４から請求項７までのいずれか１項に記載のホール用チェアにおいて、
前記バッテリの充電状況に応じて、発光の点滅パターン及び／又は色を変化させる発光部をさらに備えたこと、
を特徴とするホール用チェア。
【請求項９】
請求項１から請求項８までのいずれか１項に記載のホール用チェアにおいて、
前記ホール内に設けられた送信器からの信号であって、前記ホール内の異常事態を示す情報を含む前記信号を受信するための受信器をさらに備え、
前記発光部は、前記受信器が前記信号を受信した場合に、発光の点滅パターン及び／又は色により、遊戯者を誘導するための誘導方向を変化させること、
を特徴とするホール用チェア。
【請求項１０】
請求項５から請求項９までのいずれか１項に記載のホール用チェアにおいて、
前記エアカーテン発生部の起動及び／又は停止を指示するための操作部をさらに備え、
前記操作部は、前記座部から延設された基台に設けられていること、
を特徴とするホール用チェア。
【請求項１１】
請求項１０に記載のホール用チェアにおいて、
前記操作部は、前記基台から着脱可能であること、
を特徴とするホール用チェア。
【請求項１２】
請求項２から請求項１１までのいずれか１項に記載のホール用チェアにおいて、
前記エアカーテン発生部は、
前記エア通路に配置され、エアに含まれるダストを除去するためのフィルタを備えたこと、
を特徴とするホール用チェア。
【発明の詳細な説明】
【０００１】
【発明の属する技術分野】
本発明は、パチンコ、パチスロ、その他のゲーム等の遊戯台が複数配置されたホール（集会場、大広間等）で用いられるホール用チェアに関するものである。
【０００２】
【従来の技術】
各種遊戯台が複数配置されたホールに来場した遊戯者は、所望の遊戯台に対向して配置されたチェアに着座して、遊戯を行う。遊戯台（パチンコ台等）は、所定方向（例えば、横方向）に連続してホール内に配置されている。
遊戯者は、長時間遊戯を行うときに、喫煙を行うことがある（特に、パチンコホールでは、喫煙者の割合が多い）。パチンコホールに配置されたパチンコ台は、互いに近接しており、非喫煙者の隣に喫煙者が着座している場合には、非喫煙者は、快適に遊戯を行うことは困難となる。また、他人のタバコの煙を吸い込むことは、喫煙者にとっても歓迎されることではなく、遊戯の快適性を損なう原因となる。
【０００３】
また、多数の遊戯者が来場するホールでは、例えば、火災等の緊急事態に備えた各種の危機管理が必要であり、ホール管理者等からの場内アナウンス等が行われている。
【０００４】
非喫煙者及び喫煙者に向って、タバコの煙が流れてしまうことを防止するための手段としては、例えば、エアカーテンを用いた装置が知られている。
従来のエアカーテンを用いた装置としては、例えば、
（１）パチンコ台の上部に送風機が取付けられ、この送風機は、遊戯者の顔付近とパチンコ台の正面壁付近とに沿って、エアを吹き出してエアカーテンを発生させるものがある（例えば、特許文献１参照）。
（２）パチンコ台の前方に張り出したカウンター、又は、パチンコ台の隣合う境界位置に介在する垂直な目地材に、エア供給源と接続配管されたエア噴出孔を点在分布させ、このエア噴出孔からエアを噴出すると共に、調整ノズルによりエアの方向性を調整しながら、エアカーテンを発生させるものがある（例えば、特許文献２参照）。
【０００５】
【特許文献１】
特開平８−２４７５２０号公報
【特許文献２】
特開平９−７３２号公報
【０００６】
【発明が解決しようとする課題】
しかし、上述した従来のエアカーテンを用いた装置では、以下のような課題があった。
（１）パチンコ台側から噴出されるエアによってエアカーテンが発生するので、パチンコ台と遊戯者との距離、又は、エアの風力によっては、エアカーテンが十分に機能せず、タバコの煙が混合されたエアが遊戯者の顔に吹き付けられることになり、快適に遊戯を行うことができない場合がある。
（２）エアカーテンの発生機構を、複数のパチンコ台が配置されたユニット（いわゆるパチンコ台設置島）に内蔵させているので、この発生機構に異常があった場合には、遊戯を中断させる等、メンテナンスが大掛かりとなる場合がある。
【０００７】
また、多数の遊戯者がホールに来場している場合には、ホールは、密集した空間となってしまい、状況によっては、ホールの緊急事態を知らせるための場内アナウンス等が聞こえない場合もある。
【０００８】
本発明の第１の課題は、ホール内で隣接する遊戯者に他人のタバコの煙等が流れることを防止するホール用チェアを提供することである。
本発明の第２の課題は、ホール内の異常事態を遊戯者に迅速に伝えることができるホール用チェアを提供することである。
【０００９】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、遊戯台が所定方向に複数配置されたホールで用いられ、前記遊戯台に対向して配置されるホール用チェアであって、エアを吸入するエア吸入部（１５）と、遊戯者の後方から前記遊戯台へ向ってエアを吐出するエア吐出部（１３ａ，１３ｂ）と、前記エア吸入部（１５）から前記エア吐出部（１３ａ，１３ｂ）にエアを送り出すことにより、エアカーテン（１８ａ，１８ｂ）を発生させるエアカーテン発生部（１６，１７）と、を備えたホール用チェアである。
【００１０】
請求項２の発明は、請求項１に記載のホール用チェアにおいて、前記エアカーテン発生部（１６，１７）は、前記エア吸入部（１５）と前記エア吐出部（１３ａ，１３ｂ）とを連結するエア通路（１６）と、前記エア通路（１６）に配置され、エアを吸引するためのファンモータ（１７）と、を備え、前記ファンモータ（１７）の回転により、前記エア吸入部（１５）からエアが吸引されると共に、前記エア通路（１６）を介して、前記エア吐出部（１３ａ，１３ｂ）からエアが吐出されることにより、前記エアカーテン（１８ａ，１８ｂ）が発生すること、を特徴とするホール用チェアである。
【００１１】
請求項３の発明は、請求項１又は請求項２に記載のホール用チェアにおいて、遊戯者が着座するときに、遊戯者の姿勢を規制するための背部（４０）をさらに備え、前記エア吐出部（１３ａ，１３ｂ）は、前記背部（４０）に少なくとも２つ設けられ、前記エアカーテン（１８ａ，１８ｂ）により、遊戯者と他の遊戯者とを分離すること、を特徴とするホール用チェアである。
【００１２】
請求項４の発明は、請求項２又は請求項３に記載のホール用チェアにおいて、前記ファンモータ（１７）を回転駆動させるための少なくとも１つのバッテリ（１４ａ，１４ｂ）をさらに備え、前記バッテリ（１４ａ，１４ｂ）は、充電及び／又は着脱可能であること、を特徴とするホール用チェアである。
【００１３】
請求項５の発明は、請求項４に記載のホール用チェアにおいて、前記バッテリ（１４ａ，１４ｂ）は、遊戯者が着座するための座部（３０）の下端付近に設けられたこと、を特徴とするホール用チェアである。
【００１４】
請求項６の発明は、請求項５に記載のホール用チェアにおいて、前記座部（３０）に加わる荷重に応じて、その状態を変化させる荷重検出部（１９）と、前記荷重検出部（１９）の状態の変化により、前記遊戯台の使用又は未使用を判定して、前記遊戯台が未使用の場合に、前記バッテリ（１４ａ，１４ｂ）の消費電力を小さくする制御部（３１）と、をさらに備えたことを特徴とするホール用チェアである。
【００１５】
請求項７の発明は、請求項６に記載のホール用チェアにおいて、前記制御部（３１）は、前記バッテリ（１４ａ，１４ｂ）の充電状況に応じて、使用するバッテリ（１４ａ，１４ｂ）を自動的に切替えること、を特徴とするホール用チェアである。
【００１６】
請求項８の発明は、請求項４から請求項７までのいずれか１項に記載のホール用チェアにおいて、前記バッテリ（１４ａ，１４ｂ）の充電状況に応じて、発光の点滅パターン及び／又は色を変化させる発光部（１０）をさらに備えたこと、を特徴とするホール用チェアである。
【００１７】
請求項９の発明は、請求項１から請求項８までのいずれか１項に記載のホール用チェアにおいて、前記ホール内に設けられた送信器（７０）からの信号であって、前記ホール内の異常事態を示す情報を含む前記信号を受信するための受信器（１１）をさらに備え、前記発光部（１０）は、前記受信器（１１）が前記信号を受信した場合に、発光の点滅パターン及び／又は色により、遊戯者を誘導するための誘導方向を変化させること、を特徴とするホール用チェアである。
【００１８】
請求項１０の発明は、請求項５から請求項９までのいずれか１項に記載のホール用チェアにおいて、前記エアカーテン発生部（１６，１７）の起動及び／又は停止を指示するための操作部（２０）をさらに備え、前記操作部（２０）は、前記座部（３０）から延設された基台（３３）に設けられていること、を特徴とするホール用チェアである。
【００１９】
請求項１１の発明は、請求項１０に記載のホール用チェアにおいて、前記操作部（２０）は、前記基台（３３）から着脱可能であること、を特徴とするホール用チェアである。
【００２０】
請求項１２の発明は、請求項２から請求項１１までのいずれか１項に記載のホール用チェアにおいて、前記エアカーテン発生部（１６，１７）は、前記エア通路（１６）に配置され、エアに含まれるダストを除去するためのフィルタ（３４）を備えたこと、を特徴とするホール用チェアである。
【００２１】
【発明の実施の形態】
以下、図面等を参照しながら、本発明の実施形態について、更に詳しく説明する。
図１は、本発明によるホール用チェア１００の実施形態を示す図である。なお、図１（ａ）は、ホール用チェア１００の正面図、同じく、図１（ｂ）は、ホール用チェア１００の側面図である。本明細書中、ホールとは、パチンコ、パチスロ等の各種遊戯台が所定方向（例えば、横方向）に複数配置されている集会場、大広間等（例えば、パチンコホール）をいう。
ホール用チェア１００は、例えば、ホールで用いられ、不図示の各種遊戯台に対向して適宜配置可能なチェアであって、脚部５０と、脚部５０に設けられた座部３０と、座部３０に設けられた背部４０等とを備えている。背部４０は、遊戯者が着座するときに、遊戯者の姿勢を規制するためのものであって、例えば、発光体１０と、受信器１１と、アンテナ１２と、エアカーテン１８ａ，１８ｂを吐出するための吐出口１３ａ，１３ｂと、エアダクト１６等とを備えている。
【００２２】
座部３０は、遊戯者が着座するためのものであって、脚部５０に回転可能に設けられている。座部３０は、例えば、バッテリ１４ａ，１４ｂと、吸入口１５と、シロッコファン１７と、荷重検出器１９と、フィルタ３４等とを備えている。荷重検出部１９は、座部３０に加わる荷重（遊戯者の重量等）に応じて、その状態を変化させる検出部である。また、座部３０の下端近傍から延設された肘掛３３には、操作パネル２０が着脱可能に設けられている。
【００２３】
以下、各部材の機能等について詳しく説明する。
エア吸入口１５は、例えば、座部３０の下端付近（下端後方）に設けられ、タバコの煙等の影響の小さいエアを吸入するものである（理由：タバコの煙は、上昇する性質を有する）。
エアダクト１６は、例えば、エア吸入口１５とエア吐出口１３ａ，１３ｂとを連結するものであって、座部３０の下端付近から背部４０の内部を介してエアの通路を形成している。エアダクト１６のエア吸入口１５付近には、エア中に含まれる各種ダスト等を除去するためのフィルタ３４と、シロッコファン１７とが設けられている。シロッコファン１７は、例えば、送風器であって、バッテリ１４ａ，１４ｂを電力源として、ファンを回転駆動することにより、エア吸入口１５からエアを吸引すると共に、エア吐出口１３ａ，１３ｂへエアを送り出す。
【００２４】
エア吐出口１３ａ，１３ｂは、背部４０に少なくとも２つ設けられ、遊戯者の後方から遊戯台へ向ってエアカーテン１８ａ，１８ｂを吐出する。エアカーテン１８ａ，１８ｂが発生する位置は、背部４０に設けられたエア吐出口１３ａ，１３ｂの位置に対応している。エア吐出口１３ａ，１３ｂは、遊戯者と他の遊戯者とを分離するエアカーテン１８ａ，１８ｂを吐出するように配置されている（例えば、遊戯者の口元から所定距離を隔てた位置に、エアカーテン１８ａ，１８ｂが発生する等）。また、エア吐出口１３ａ，１３ｂは、背部４０に対して角度調節可能に設けられており、遊戯者は、エアカーテン１８ａ，１８ｂの吐出する方向を適宜変更することができる。
【００２５】
エアは、シロッコファン１７の回転により、エア吸入口１５から吸引されると共に、エアダクト１６を介して、エア吐出口１３ａ，１３ｂから吐出される。これにより、エアは適宜の風力を得て、エアカーテン１８ａ，１８ｂとなる。
【００２６】
つぎに、バッテリ１４ａ，１４ｂについて説明する。
バッテリ１４ａ，１４ｂは、例えば、座部３０の下端付近に設けられており、シロッコファン１７を回転駆動させるためのものであって、充電式であり、かつ、着脱式である。バッテリ１４ａ，１４ｂは、座部３０に内蔵されており、外部からの電源供給をすることなく、内蔵されたバッテリ１４ａ，１４ｂを電力源としてシロッコファン１７を回転駆動させることができる。
【００２７】
バッテリ１４ａ，１４ｂによれば、ホール内に電力源を確保するための配線を設けることなく、シロッコファン１７の電力源を確保することができる。バッテリ１４ａ，１４ｂは、座部３０の下部に設けられたスペース等に配置されるので、遊戯を妨げる原因とならない。バッテリ１４ａ，１４ｂは、ランニングコストを抑えるために充電式を用いる。この充電式のバッテリ１４ａ，１４ｂは、上述したスペースから充電が必要なバッテリのみを脱着して、充電の完了した他のバッテリと交換することにより、エアカーテン１８ａ，１８ｂの風力等の性能を維持して、エアカーテン１８ａ，１８ｂにより、遊戯者と他の遊戯者とを分離することができる。
【００２８】
図２は、本発明によるホール用チェア１００の実施形態を示すブロック図である。なお、上述した部材と同一部材には同一符号を付し、重複部分についての説明を適宜省略する。
ホール用チェア１００は、送風開始ＳＷ２１と、全機能停止ＳＷ２２と、シロッコファン１７と、荷重検出部１９と、制御部３１と、記憶部３２と、発光体１０と、バッテリ１４ａ，１４ｂと、ホール内に配置された送信器７０と無線又は有線により通信可能な受信器１１等とを備えている。また、上述した各部材は、制御部３１を介して電気的に接続されている。
【００２９】
送風開始ＳＷ２１は、操作パネル２０に配置され、遊戯者等による外部操作によって操作されるスイッチであって、例えば、シロッコファン１７を起動するものである。全機能停止ＳＷ２２は、操作パネル２０に配置され、遊戯者等による外部操作によって操作されるスイッチであって、上述した各部材等による各種機能を停止するためのものである。
【００３０】
記憶部３２は、例えば、不揮発性メモリであって、エアカーテン１８ａ，１８ｂの性能維持のために要求されるシロッコファン１７の回転数、バッテリ１４ａ，１４ｂの電力、及び、後述する発光体１０の点滅パターン及び／又は色に関する情報等の各種情報が書き込まれている。これにより、全機能停止ＳＷ２２の操作によってホール用チェア１００内の電源がＯＦＦになっても、各種情報は消去されずに記憶されている。
【００３１】
制御部３１は、荷重検出部１９の状態の変化により、遊戯台の使用又は未使用（遊戯者が着座しているか否か）を判定する。制御部３１は、遊戯台が未使用と判定した場合に、バッテリ１４ａ，１４ｂの消費電力を小さくする。制御部３１は、記憶部３２に記憶されたバッテリ１４ａ，１４ｂの電力に関するしきい値と、現在のバッテリ１４ａ，１４ｂの少なくとも一方の電力とを比較して、現在の電力がしきい値よりも小さくなった場合に、使用するバッテリ１４ａ，１４ｂを自動的に切替える。
【００３２】
発光体１０は、遊戯者（又は、ホール管理者）等が視認できるように背部４０の上部付近に設けられており、例えば、制御部３１の指示により、点滅パターン及び／又は色を変化させることにより、バッテリ１４ａ，１４ｂに充電が必要なことをホール管理者に通知したり、又は、遊戯者を安全な場所（例えば、ホールの外等）に誘導するための誘導方向を遊戯者に知らせることができる（後述）。
【００３３】
図３は、ホール内の危機管理システムを示す概略図である。なお、ホール内の危機管理システムとは、例えば、多数の遊戯者が来場するホールで発生することが想定される火災等の緊急事態に対処するためのものである。
ホール付近には、ホール管理者等が待機しており、緊急事態に対処するために遊戯者等に適宜の指示を与えるホール管理室が備えられている。ホール管理室は、例えば、ホール管理者による外部操作により操作される誘導ボタン６０等を備えている。誘導ボタン６０から得られる操作信号は、ホール内に配置された送信器７０に無線又は有線で出力される。送信器７０は、ホール内の異常事態を示す情報を含む信号を送信する。背部４０に設けられた受信器１１は、アンテナ１２を介して、送信器７０からの信号を受信する。
【００３４】
発光部１０は、受信器１１が信号を受信した場合に、制御部３１の指示に応じて、発光の点滅パターン及び／又は色を変化させる。これにより、遊戯者を安全な場所（例えば、ホールの外等）に誘導するための誘導方向を示すことができる。
【００３５】
図４は、発光体１０の誘導パターンと誘導方向を示す図である。なお、図中（ａ）、（ｂ）及び（ｃ）は、誘導パターン及び誘導方向の時系列の変化を示している。
発光体１０は、例えば、所定方向（ここでは、横方向）に複数配置された発光部１０ａを備えている。発光部１０ａは、所定の時間間隔を経てそれぞれ発光して、遊戯者を誘導するための誘導方向を示す。また、発光部１０ａは、色の種類、発光量（明るさ）を適宜設定できるので、連続した発光部１０ａの発光によれば、色の種類、明るさが連続的に変化しているように、遊戯者に視覚的に示すことができる。ここでは、発光部１０ａは、図中（ａ）、（ｂ）及び（ｃ）と、矢印とに示すように右から左へ順番に発光するので、遊戯者は、発光体１０を視認することで、誘導方向が左方向であることを容易に認識することができる。
【００３６】
これにより、発光体１０は、いわゆる誘導方向（避難方向）を示す誘導灯として機能することができる。また、記憶部３２には、発光体１０の点滅パターン及び／又は色に関する情報が記憶されているので、制御部３１は、この情報に基づいて、発光体１０の誘導方向の設定を適宜行うことができる。このため、複数の遊戯台に対向して配置されたホール用チェア１００の配置場所に応じて、最適な誘導方向を遊戯者に示すことができる。
【００３７】
図５は、発光体１０によるバッテリ残量を示す点滅パターンを示す図である。
発光部１０は、バッテリ１４ａ，１４ｂの充電状況に応じて、制御部３１の指示により、発光の点滅パターン及び／又は色を変化させる。バッテリ１４ａ，１４ｂは、エアカーテン１８ａ，１８ｂの性能維持に要求される電力を、シロッコファン１７に供給する。
バッテリ１４ａ，１４ｂは、座部３０の下端付近のスペースに複数（例えば、２つ）配置しており、制御部３１の指示により、使用中（１つ目）のバッテリ１４ａのバッテリ残量が少なくなった場合に、ただちに未使用（２つ目又は充電済み）のバッテリを使用するように自動で切り替わる。
【００３８】
使用中（１つ目）のバッテリ１４ａのバッテリ残量が少なくなった場合には、発光体１０は、図示のように、複数の発光部１０ａを全て点滅することにより、バッテリ１４ａに充電が必要であることをホール管理者に視覚的に伝えることができる。また、未使用のバッテリ１４ｂに自動で切り替った場合、又は、使用中のバッテリ１４ａと未使用の適宜のバッテリとを交換した場合には、発光体１０の点滅は、自動的に復旧する。
【００３９】
図６は、操作パネル２０の拡大図である。
操作パネル２０は、座部３０から延設された肘掛３３から着脱可能に設けられており、例えば、送風開始ＳＷ２１と、全機能停止ＳＷ２２と、使用機能表示モニタ２３と、硬貨口２４等とを備えている。
使用機能表示モニタ２３は、例えば、液晶等の表示部であって、送風状態（開始又は停止）と、バッテリ低下とを表示する。硬貨口２４は、遊戯者がエアカーテン１８ａ，１８ｂを発生させる場合に適宜の料金を支払うための支払い口である。
【００４０】
操作パネル２０は、肘掛３３に設けられているので、遊戯者は着座したまま手元で操作を行うことができる。操作パネル２０は、肘掛３３から着脱可能であるので、例えば、ホール用チェア１００の適宜のスペースに折畳んで収納することもできる。
【００４１】
本実施形態によれば、（１）遊戯者に対向する遊戯台の間等からエアを吐出するのではなく、背部４０に設けたエア吐出口１３ａ，１３ｂからエアを吐出して、遊戯者の後方から遊戯台へ向ってエアを送り出すことにより、エアカーテン１８ａ，１８ｂを遊戯者間に発生させ、タバコの煙等を含んだエアが遊戯者に向って対流しないようなエアの流れを生み出すことができる。
（２）制御部３１の指示により、発光体１０の点滅パターン及び／又は色が変化するので、バッテリ１４ａ，１４ｂに充電が必要なことをホール管理者に通知したり、又は、遊戯者を安全な場所に誘導するための誘導方向を遊戯者に知らせることができる。
（３）荷重検出部１９の状態の変化により、遊戯台の使用又は未使用が判定され、遊戯台が未使用と判定された場合には、バッテリ１４ａ，１４ｂの消費電力を小さくすることができる。
（４）ホール内の商用電力源の代わりに、バッテリ１４ａ，１４ｂを用いたので、ホール内に電力源を確保するための配線を設けることなく、電力源を確保することができる。
（５）ランニングコストを抑えるために充電式のバッテリ１４ａ，１４ｂを使用して、充電が必要なバッテリのみを脱着して、充電の完了したバッテリと交換することにより、エアカーテン１８ａ，１８ｂの風力等の性能を維持することができる。
【００４２】
（変形形態）
以上説明した実施形態に限定されることなく、種々の変形や変更が可能であって、それらも本発明の均等の範囲である。
（１）上述した実施形態では、ホールとしてパチンコホールについて説明したが、これに限られず、遊戯者同士が隣り合って遊戯を行う場所（例えば、ゲームセンター等）であれば、本実施形態でのホール用チェア１００を適用してもよい。
【００４３】
（２）ホール内で発生した異常事態を遊戯者に知らせる手段として、発光体１０による点滅パターン、色等を用いたが、これに限られず、上述した座部３０及び／又は背部４０に、受信器１１からの信号に応じて振動する振動部を設けるようにしてもよい。
【００４４】
（３）送信器７０は、ホール内に設置され、誘導ボタン６０からの外装操作信号に応じて、受信器１１に信号を送信していたが、これに限られず、誘導ボタン６０の機能を付加した送信器７０を、ホール管理室に設置してもよい。
【００４５】
（４）バッテリ１４ａ，１４ｂにより、シロッコファン１７を回転駆動していたが、ホール内で商用電力源の確保が可能であれば、商用電力源とシロッコファン１７とを制御部３１を介して電気的に接続することにより、バッテリ１４ａ，１４ｂを用いることなく、エアカーテン１８ａ，１８ｂの性能を維持するようにしてもよい。
【００４６】
【発明の効果】
以上詳しく説明したように、（１）エアを吸入するエア吸入部と、遊戯者の後方から遊戯台へ向ってエアを吐出するエア吐出部と、エア吸入部からエア吐出部にエアを送り出すことにより、エアカーテンを発生させるエアカーテン発生部と、を備えたので、遊戯者の後方から遊戯台へ向ってエアを送り出して、エアカーテンを遊戯者間に発生させ、タバコの煙等を含んだエアが遊戯者に向って対流しないようなエアの流れを生み出すことができる。
【００４７】
（２）エア通路に配置されたシロッコファンの回転により、エア吸入部からエアが吸引されると共に、エア通路を介して、エア吐出部からエアが吐出されることにより、エアカーテンが発生するので、エアカーテンに必要な風力を与えることができる。
【００４８】
（３）エア吐出部は、遊戯者が着座するときに、遊戯者の姿勢を規制するための背部に少なくとも２つ設けられているので、エアカーテンにより、遊戯者と他の遊戯者とを分離することができる。
【００４９】
（４）シロッコファンを回転駆動させるための少なくとも１つのバッテリは、充電及び／又は着脱可能であるので、バッテリ残量が少なくなると適宜交換又は充電することができる。
【００５０】
（５）バッテリは、遊戯者が着座するための座部の下端付近に設けられたので、遊戯を中断することなくバッテリの交換を行うことができる。
【００５１】
（６）制御部は、座部に加わる荷重に応じて、その状態を変化させる荷重検出部の状態の変化により、遊戯台の使用又は未使用を判定して、遊戯台が未使用の場合に、バッテリの消費電力を小さくするので、バッテリの電力を効率良く利用することができる。
【００５２】
（７）制御部は、バッテリの充電状況に応じて、使用するバッテリを自動的に切替えるので、エアカーテンに要求される風力等の性能を維持することができる。
【００５３】
（８）発光部は、バッテリの充電状況に応じて、発光の点滅パターン及び／又は色を変化させるので、ホール管理者にバッテリの交換時期を容易に認識させることができる。
【００５４】
（９）発光部は、ホール内の異常事態を示す情報を含む信号を受信器が受信した場合に、発光の点滅パターン及び／又は色により、遊戯者を誘導するための誘導方向を変化させるので、遊戯者を安全な場所に迅速に誘導することができる。
【００５５】
（１０）操作部は、座部から延設された基台に設けられ、エアカーテン発生部の起動及び／又は停止を指示するので、遊戯者は操作部の操作を手元で行うことができる。
【００５６】
（１１）操作部は、基台から着脱可能であるので、操作部を適宜のスペースに収納することができる。
【００５７】
（１２）エアカーテン発生部は、エア通路に配置され、エアに含まれるダストを除去するためのフィルタを備えたので、エアは、エア通路を介することで、ダストが取り除かれ、エアカーテンを清浄化することができる。
【図面の簡単な説明】
【図１】本発明によるホール用チェア１００の実施形態を示す図である。
【図２】本発明によるホール用チェア１００の実施形態を示すブロック図である。
【図３】ホール内の危機管理システムを示す概略図である。
【図４】発光体１０の誘導パターンと誘導方向を示す図である。
【図５】発光体１０によるバッテリ残量を示す点滅パターンを示す図である。
【図６】操作パネル２０の拡大図である。
【符号の説明】
１０  発光体
１１  受信器
１２  アンテナ
１３ａ，１３ｂ  噴出口
１４ａ，１４ｂ  バッテリ
１５  吸入口
１６  エアダクト
１７  シロッコファン
１８ａ，１８ｂ  エアカーテン
１９  荷重検出器
２０  操作パネル
３０  座部
３１  制御部
３２  記憶部
３３  肘掛
３４  フィルタ
４０  背部
５０  脚部
６０  誘導ボタン
７０  送信器
１００  ホール用チェア
【図１】
2004321210.tif 000003
【図２】
2004321210.tif 000004
【図３】
2004321210.tif 000005
【図４】
2004321210.tif 000006
【図５】
2004321210.tif 000007
【図６】
2004321210.tif 000008